(57)【要約】      （修正有）【課題】ストレッチャーと浴槽本体との間のドッキング状態が不良のままスライド担架を入・出浴のためにストレッチャーから浴槽本体へもしくは浴槽本体からストレッチャーへ移送した際に生じる衝突や落下事故を防止する装置を提供することにある。【解決手段】浴槽本体１に設けたドッキングプレート４にマグネットセンサＳを設け、ストレッチャー２が正常にドッキングした際、上記マグネットセンサが作動して浴槽上面に設けたランプＬを点灯もしくは点滅させて、入浴介助者に容易に確認出来るようにスライド担架移送時の事故防止を計るようにした。【選択図】図２
0003108954.tif 000002
【実用新案登録請求の範囲】
【請求項１】
ストレッチャー側に設けたペタル等を受承してストレッチャーと浴槽本体とをドッキングさせるドッキングブロックを上記浴槽本体に設け、上記ペタル等を正常状態に係止した時を感知するマグネットセンサを上記ドッキングブロックに設置すると共に、上記マグネットセンサ動作時に点灯もしくは点滅するランプを１ヶ所又は２ヶ所以上浴槽本体の上面の入浴介助者に見やすい位置に設置したことを特徴とする特殊入浴装置におけるスライド担架移送時の事故防止装置。
【考案の詳細な説明】
【技術分野】
【０００１】
この考案は、自力では入浴出来ない肢体不自由者やお年寄り等が寝位の姿勢で入浴させるようにした特殊入浴装置の安全装置、殊にスライド担架移送時における事故防止装置に関するものである。
【背景技術】
【０００２】
特殊入浴装置において、浴槽本体とストレッチャーとの間のドッキング不良を気付かないでスライド担架上の入浴者をストレッチャー側から浴槽本体側へスライド担架ごと移送させて入浴させようとすると、浴槽側に設けた案内レールとストレッチャー側の案内レールとの間の位相にズレがあるため、そのズレが大であると浴槽の案内レールもしくはその他の浴槽構造物に担架構成部材が衝突して部材に損傷を与えるばかりでなく、入浴者に恐怖感を与えてしまう。更に、場合によってはスライド担架の転動コロが案内レールから脱輪してしまい入浴者ごと脱落するといった事故も想定される。
【０００３】
又、レール間位相のズレが少ない場合には、担架側スライド部分がズレを吸収して問題なく移送されるケースも稀にあるが、多くは移送途中において浴槽側案内レール側面と担架スライド部材が密に接触して動かなくなり、その復旧にかなり手間取る。
【０００４】
更に、入浴中に何等かの原因、例えば入浴介助者等が誤ってストレッチャーに装備されているドッキング解除レバーに接触し、正常であったドッキング状態が不完全に陥った場合等には、出浴（退浴）即ち浴槽側からストレッチャー側へスライド担架を移送させる際にも上述と同様な事故を引き起こす恐れがある。
【考案の開示】
【考案が解決しようとする課題】
【０００５】
本考案は上述した従来の不具合を解消するため、ストレッチャーのドッキング状態を介助者が容易に確認出来るようにしてスライド担架移送時の事故防止を計らんとしたものである。
【課題を解決するための手段】
【０００６】
本考案の請求項１記載の特殊入浴装置の安全装置は、ストレッチャー側に設けたペタル等を受承してストレッチャーと浴槽本体とをドッキングさせるドッキングブロックを上記浴槽本体に設け、上記ペタル等を正常状態に係止した時を感知するマグネットセンサを上記ドッキングブロックに設置すると共に上記マグネットセンサ動作時に点灯もしくは点滅するランプを１ヶ所又は２ヶ所以上浴槽本体の上面の入浴介助者に見やすい位置に設置したことを特徴とする。
【考案の効果】
【０００７】
上記請求項１記載によると、ストレッチャーが浴槽本体に確実にドッキングされているか否かが容易に確認出来るため、介助者はスライド担架上の入浴者を事故の恐れなく安心して移送作業させることが出来る。
【考案を実施するための最良の形態】
【０００８】
以下、本考案を付図実施例に基づいて説明する。図中１は浴槽本体、２はストレッチャー、３はスライド担架を各々示し、上記浴槽本体１の側面下方にはドッキングブロック４が固定されている。このドッキングブロック４は、一方の側壁と下方が開口し、前面壁４Ａには傾斜面４Ｂに連接して切欠き部４Ｃが設けられている。又、後壁４Ｄに穿設した穴４Ｅは浴槽本体１への取付ボルトの通し穴である。こうしたドッキングブロックは浴槽本体１の他方の側面下方にも対象的に装着される。
【０００９】
一方、ストレッチヤ−２の下部両側には、ペタル５Ａ，５Ｂがペタルフレーム６Ａ，６Ｂの一端に固定されている。このペタルフレーム６Ａ，６Ｂの他端はストレッチャー２の中心軸線Ｘ−Ｘを超えて延長しており、両者は中心軸線上でピン７を介して回転自在に連結されている。８はペタルフレーム間のピン７周りに設けた樹脂製リング状の間座である。
【００１０】
上記、何れか一方のペタルフレーム（本図では６Ｂ）には、抗張スプリング９の一端を掛止する係止片１０が取り付けられており、該抗張スプリング９の他端はストレッチャー構成部材例えばフレーム１０等から垂設したブラケット１１に係止されている。
【００１１】
そして、本考案は前記ドッキングブロック４の上面壁４Ｆの裏面にマグネットセンサＳを設置すると共に該マグネットセンサＳの動作時に点灯するランプＬを介助者が最も見やすい位置例えば浴槽本体１の上面パネル１Ａに１ヶ所又は２ヶ所以上設けたものである。
【００１２】
而して、本考案によれば浴槽本体１とストレッチャー２とのドッキング操作は、ストレッチャー２を浴槽本体１の側面にガイドローラー２Ａを押圧しながら横方向移動して行われる。即ち斬る操作によりペタル５Ａの首部５Ａ’がドッキングブロック４の傾斜面４Ｂに当接した後、ペタル５Ａは抗張スプリング９に抗して下方に押圧されながら横移動し、傾斜面４Ｂを通り過ぎた所で上記抗張スプリング９の蓄勢力により切欠き４Ｃ内に強制的に受嵌されるため、前後左右の移動が阻止されてドッキングが完了する。尚、ペタル５Ｂは、ペタル５Ａに追従して押し下げ動作後ドッキング完了と同時に元の状態へ復す。このようにペタル５Ａがドッキングプレート４内の所定位置に収納されれば、マグネットセンサＳが検知して緑色等の安全色ランプＬを点灯もしくは点滅し、確実にドッキングされていることが確認されるため、介助者は安心して入浴者をスライド担架３ごと浴槽本体側へ移送させることが出来る。又退浴時においても、ランプＬの点灯もしくは点滅を確認して行えば何等事故の恐れなく移送操作を行うことが出来る。尚、ドッキングの解除は、反対側のペタル５Ｂを踏み下げて手前にストレッチャーを移動するか又は前述のドッキングと反対方向へ横移動すればよい。
【００１３】
本考案はストレッチャーを浴槽本体に対して押し付けながら横移動させるタイプのドッキング例の安全装置を示したがその他のドッキング手段を用いたものにも適用出来ること明らかである。
【図面の簡単な説明】
【００１４】
【図１】本考案の要部を示す平面図である。
【図２】本考案の要部を示す縦断側面図である。
【図３】本考案で使用されている主要部品であるドッキングブロックの斜視図である。
【符号の説明】
【００１５】
１              浴槽本体
２              ストレッチャー
３              スライド担架
４              ドッキングブロック
４Ａ            前面壁
４Ｂ            傾斜面
４Ｃ            切欠き部分
４Ｆ            上面壁
５Ａ，５Ｂ      ペタル
６Ａ，６Ｂ      ペタル、フレーム
９              抗張スプリング
Ｓ              マグネットセンサ
Ｌ              ランプ
【図１】
0003108954.tif 000003
【図２】
0003108954.tif 000004
【図３】
0003108954.tif 000005